(57)【要約】【課題】パチンコ球の球の動作が変化に富んで斬新であり、面白味が味わえて遊技者が満足し、遊技の興趣を十分に高められる弾球遊技機における盤面装置を提供する。【解決手段】パチンコ球Ｂが流下する球流下通路２９と、前記球流下通路２９を流下するパチンコ球Ｂをその流下方向とは異なる上方向へ飛ばす跳上部材３１と、前記跳上部材３１により上方向へ飛ばされたパチンコ球Ｂを受入れることができる球受入皿４３、とを備え、前記上方向へ飛ばされると共に前記球受入皿４３に受け入れられるパチンコ球Ｂの軌道を前側から視認できるようにした構成からなる。【選択図】　図７
2004057229.tif 000002
【特許請求の範囲】
【請求項１】
弾球が流下する球流下通路と、前記球流下通路を流下する弾球をその流下方向とは異なる上方向へ飛ばす跳上部材と、前記跳上部材により上方向へ飛ばされた弾球を受入れることができる球受入皿、とを備え、前記上方向へ飛ばされると共に前記球受入皿に受け入れられる弾球の軌道を前側から視認できるようにしたことを特徴とする弾球遊技機における盤面装置。
【請求項２】
前記球流下通路が、複数条成形されると共に下流側で合流するようになっている請求項１記載の弾球遊技機における盤面装置。
【請求項３】
前記球流下通路が、水平面に対する傾斜角度を調節できるように設けられている請求項１又は２記載の弾球遊技機における盤面装置。
【請求項４】
前記跳上部材が、独立して成形され、鉛直面内で回動しかつ水平面に対する傾斜角度を調節できるように設けられ、前記流下する弾球の飛ばす向きが変えられるようにした請求項１又は２又は３記載の弾球遊技機における盤面装置。
【請求項５】
前記跳上部材が、独立して成形され、電気的駆動手段により鉛直面内で回動しかつ水平面に対する傾斜角度を調節できるように設けられ、前記流下する弾球の飛ばす向きが変えられるようにした請求項１又は２又は３記載の弾球遊技機における盤面装置。
【請求項６】
前記球受入皿が、前記上方向へ飛ばされる弾球を受入れることができる範囲で自在に往復動するように設けられている請求項１乃至５のうちいずれか一つに記載の弾球遊技機における盤面装置。
【請求項７】
前記球受入皿が、前記跳上部材よりも上方位置に配置されている請求項１乃至６のうちいずれか一つに記載の弾球遊技機における盤面装置。
【発明の詳細な説明】
【０００１】
【発明の属する技術分野】
本発明は、流入した弾球が変化に富んだ面白い動きをすることにより、遊技の興趣を高めることができる弾球遊技機における盤面装置に関するものである。
【０００２】
【従来の技術】
パチンコ遊技機には、例えばフィーバータイプと称される機種のものがある。この種のパチンコ遊技機は、一般的に遊技盤面の中央に盤面装置である可変表示装置が配置される。また、その下方に可変表示装置を電気的に作動させるための始動入賞口、更には、その下方に開閉扉を大きく開放し、一度に多くの入賞球を発生させることができる入賞装置がそれぞれ配設されている。前記可変表示装置は、その前面に文字、図形等の識別情報が複数個（通常、３個）変動表示される表示部が設けられ、前記始動入賞口に弾球であるパチンコ球が入賞することにより、前記表示部に表示される識別情報が変動すると共に一定時間経過後に停止する。そして、停止したときの前記各識別情報が、あらかじめ決められた特定の組合わせ（例えば、「７，７，７」）に揃ったとき、遊技者に有利な特別遊技状態（所謂、大当たり）となり、前記入賞装置の開閉扉が一定の条件の下で連続開放して一度に多くの入賞球を発生させることができるようになっている。
【０００３】
ところで、最近は遊技に面白味を加えるため、始動入賞口へのパチンコ球の入賞する機会が多くなるように、始動入賞口に向かってパチンコ球を寄せ集めるためのワープ通路を可変表示装置に組み込むようにしている。この可変表示装置では、その側方から入ったパチンコ球は前記ワープ通路を介して可変表示装置の中央部へ導かれ、下方の始動入賞口に向け落下する。
【０００４】
【発明が解決しようとする課題】
しかしながら、前記可変表示装置では、ワープ通路に入ったパチンコ球は、そのままワープ通路内を流下してその流下端のワープ出口から排出され、更に、可変表示装置の下部前面に成形される棚部上面を転動して中央部に寄せられ、その前端縁から遊技盤面に戻され流下するに過ぎず、パチンコ球が単に転動するのみであって一連の動作が単調であり、面白味がなく飽きやすくなっている。このように、遊技者を引き付け満足させるだけの魅力が消えつつあり、可変表示装置のような盤面装置にあって、遊技の興趣を高めるための工夫を模索しているのが現状である。
【０００５】
そこで、本発明は上記課題に鑑みてなされたもので、弾球の球の動作が変化に富んで斬新であり、遊技者を引き付けるような面白味があって遊技者が満足でき、遊技の興趣を十分に高められる弾球遊技機における盤面装置を提供することを目的とするものである。
【０００６】
【課題を解決するための手段】
かかる目的を達成するため、本発明に係る弾球遊技機における盤面装置は、弾球が流下する球流下通路と、前記球流下通路を流下する弾球をその流下方向とは異なる上方向へ飛ばす跳上部材と、前記跳上部材により上方向へ飛ばされた弾球を受入れることができる球受入皿、とを備え、前記上方向へ飛ばされると共に前記球受入皿に受け入れられる弾球の軌道を前側から視認できるようにした構成からなる。この場合、前記跳上部材は、バネ作用を有するように成形されていることが好ましい。例えば、合成樹脂製であって弾発性を有する板状のもの、またはバネ部材を使用したものが挙げられる。
【０００７】
前記球流下通路に入った弾球は、その球流下通路内を流下すると共に下流側に配置される跳上部材により前記流下方向とは異なる上方向であって空中へジャンプする。そして、偶然性により球受入皿に受け入れられたり、受け入れられなかったりする。このように、弾球が空中へジャンプして球受入皿に受け入れられるという変化に富んだ斬新な動作をすることから、遊技者を引き付けるような面白味が味わえ遊技者が満足する。
【０００８】
前記球流下通路が、複数条成形されると共に下流側で合流するようになっていることが好ましい。
【０００９】
前記球流下通路が、水平面に対する傾斜角度を調節できるように設けられていることが好ましい。
【００１０】
前記跳上部材が、独立して成形され、鉛直面内で回動しかつ水平面に対する傾斜角度を調節できるように設けられ、前記流下する弾球の飛ばす向きが変えられるようにすることが好ましい。この場合、前記跳上部材は、電気的駆動手段、例えばステッピングモータ、により回動できるようにする。
【００１１】
前記球受入皿が、前記上方向へ飛ばされる弾球を受入れることができる範囲で自在に往復動するように設けられていることが好ましい。例えば、上下方向、左右水平方向、または左右方向であって円弧線に沿ってそれぞれ往復運動する。
【００１２】
前記球受入皿が、前記跳上部材よりも上方位置に配置されていることが好ましい。
【００１３】
球流下通路が複数条、例えば二条成形されるときは、両球入口間に自在に摺動して、いずれか一方の球入口を塞ぐことができる邪魔板を配置するようにしても良い。または、一方の球流下通路の球入口に、この球入口を塞ぐ位置と開放した位置と、更には球入口を開放しかつその中にパチンコ球が入り易いように傾斜して案内する位置と、にそれぞれ回動して停止できる開閉蓋を軸着するようにしても良い。
【００１４】
前記跳上部材は、球流下通路と一体に成形するか、または、独立して成形するようにしても良いが、その弾発力が調整できるようになっていることが好ましい。
【００１５】
【発明の実施の形態】
以下、本発明に係る弾球遊技機における盤面装置の実施の形態を図面を参照して説明する。本発明でいう弾球遊技機には、パチンコ遊技機、アレンジボール、雀球があるが、その一例としてパチンコ遊技機について説明する。また、盤面装置には、所謂フィーバータイプと称される弾球遊技機に使用される可変表示装置、または所謂飛行機タイプと称される弾球遊技機に使用される大型の入賞装置、または所謂権利物と称される弾球遊技機に使用される大型の入賞装置、更には、パチンコ球が入賞することによって一定数の景品球が払い出される入賞口、パチンコ球が入賞しても景品球が払い出されず単にパチンコ球が通過するに過ぎない入賞口のいずれも含むものであるが、その一例として可変表示装置について説明する。
【００１６】
図１は本発明が適用されるパチンコ遊技機の正面図である。このパチンコ遊技機Ｐは、縦長長方形状に枠組みされた機枠１を有し、該機枠１の前面に額縁状に成形した前面枠２が配置される。前面枠２は前記機枠１の一側に開閉可能に装着され、該前面枠２の前面にはガラス扉枠３と前面板４とが開閉自在に装着される。そして、前記ガラス扉枠３には、前後に間隔をおいて一対のガラス板５が装着されている。また、前記前面板４の前面には、打球発射部（図示せず。）に供給される遊技球としての弾球であるパチンコ球を貯留する打球供給皿６が設けられている。更に、前記前面枠２の前面下部には、前記打球供給皿６から溢れるパチンコ球を貯留するための余剰球受皿７が装着され、一側には打球操作ハンドル８が設けられている。
【００１７】
９は、前記前面枠２の後側に配置されガラス扉枠３の窓孔３ａに臨む遊技盤であり、該遊技盤９の前面には渦巻状のガイドレール１０が敷設される。ガイドレール１０で囲まれる遊技領域９ａには、その中央部に盤面装置としての可変表示装置１１が装着され、その中央の下方にパチンコ球が入賞することにより前記可変表示装置１１を電気的に作動させるための始動入賞口１２が設けられている。また、その下方に可変表示装置１１の表示態様に応じて遊技者にとって有利となる特別遊技状態（所謂大当たりの状態）になったとき、一度に多くのパチンコ球が入り易いように変換する大型の入賞装置１３が設けられている。１４は、可変表示装置１１の側方に配設され、パチンコ球が通過することによりそれを検知し、前記始動入賞口１２の一対の可動翼片１５をパチンコ球が受入れ易いように傾動させるための通過チャッカーである。１６は、前記遊技領域９ａの下部に設けられ、遊技領域９ａに打ち込まれても入賞しなかったパチンコ球を排出してアウト球として処理するためのアウト球口である。
【００１８】
そこで、始動入賞口１２にパチンコ球が入賞すると、図１に示すように始動入賞口１２に内蔵される入賞球検出器１７により前記パチンコ球が検出され、その信号が主制御装置（図示せず。）に送られる。主制御装置では、大当たりの抽選がなされると共に図柄の抽選がなされ、これらが決定され次第、その信号が可変表示装置１１に送られる。これにより、可変表示装置１１の表示部１８の「０〜９」の数字がランダムに変動表示され、一定時間経過後に停止する。その間、例えば三桁の数字のうち、一の位と百の位が同じ数字に揃うとリーチ状態となり、更に、十の位の数字も前記数字と同じ数字で停止すると、大当たり状態が確定することになる。この状態になると、入賞装置１３の開閉扉１９が所定の時間経過するまで、またはパチンコ球が所定の個数入賞するまで開放され、その間に一定の条件を満たす限り所定回数（例えば１６回）を限度として、前記開閉扉１９が閉じた後、再び開いて一度に多くの入賞球が得られることになる。
【００１９】
前記可変表示装置１１は、図２に示すように遊技盤９面に当接する取付基板２０を有する。この取付基板２０は、環状に成形され、その前面の上部に前方へ突出する庇囲枠部２１が設けられる。一方、取付基板２０の内側に、後方へ所定の間隔離れて位置し取付基板２０と平行をなす第一起立壁２２ａが張設される。第一起立壁２２ａに角口２３が開設され、この角口２３には、表示部本体２４が嵌入して取付けられる。そして、その前面の表示部１８に文字、図形等の識別情報が複数個（通常、３個）変動表示される。また、図３、図７に示すように第一起立壁２２ａの下部、すなわち表示部本体２４の下部側、に後方へ所定の間隔離れて位置し、第一起立壁２２ａと平行をなす第二起立壁２２ｂが張設されている。これにより、取付基板２０と第一起立壁２２ａとの間の下辺に、中央部が一番低くなる第一棚部２５ａが設けられ、第一起立壁２２ａと第二起立壁２２ｂとの間には第二棚部２５ｂが設けられる。これら第一・第二棚部２５ａ，２５ｂは、いずれも若干前側へ下傾している。
【００２０】
前記第一棚部２５ａにあっては、その前端縁を囲う取付基板２０が第一棚部２５ａの上面より上方へ突出するようにして設けられている。ただ、取付基板２０における第一棚部２５ａの中央部に当たる部位には、所定の間隔離した切欠部２６が設けられる。これにより、第一棚部２５ａを転動するパチンコ球は取付基板２０により阻まれ途中で落下することはなく、必ず切欠部２６から下方へ落下することになる。第二棚部２５ｂにあっては、その中央部を除いて前後方向を向く畝状の隆起部２７が複数個設けられる。また、第二棚部２５ｂにおける前端縁の適宜位置に、第二棚部２５ｂの中央部に当たる部位を除いてその上面を転動するパチンコ球が途中で第一棚部２５ａ側へ転がり落ちるのを阻止する阻止片２０ａが突設されている。
【００２１】
前記庇囲枠部２１の一側にパチンコ球が入り得る球入口２８が開設され、庇囲枠部２１から第一起立壁２２ａの後側に亘り前記球入口２８と連通して終端側が鉛直をなす一条の球流下通路２９が設けられている。この球流下通路２９終端には内側に開放されかつ前記第二棚部２５ｂと連なる出口３０が設けられる。この出口３０には、球流下通路２９内を流下するパチンコ球をその流下方向とは異なる方向、すなわち内側の斜め上方、へ飛ばす跳上部材３１が配置される。
【００２２】
前記跳上部材３１は、図４に示すように合成樹脂材により独立して成形され、水平な軸筒部３２の一側から上側へ略への字状に屈曲しかつその上面が内側に向かって下傾する反発片３３が一体に設けられている。この反発片３３は、屈曲させることによりバネ作用が付与されているが、弾発係数の高い部材を使用すれば、または跳ね返す距離によって必要なければ、バネ作用を付与させる必要はない。前記軸筒部３２は、後端面が開放されると共に前端面にはビス挿通孔３４が設けられる。そして、第二起立壁２２ｂの前面に突設されかつ先端面にビス孔３５が設けられたボス３６に軸筒部３２を嵌着する。さらに、第一起立壁２２ａに開設されたビス挿通孔３７及び前記ビス挿通孔３４を介してビス孔３５にビス３８を螺締することにより跳上部材３１が取付けられる。
【００２３】
前記跳上部材３１は、ボス３６に対して遊嵌されており、軸筒部３２の外側面の両側に突設された一対の突片３９ａ，３９ｂが、第二起立壁２２ｂ前面に設けられた受止片４０ａ，４０ｂに受け止められ得るようになっている。さらに詳しくは、跳上部材３１が、常にはその重心により反発片３３の先端側へ回動し、一方の突片３９ａが同側にある受止片４０ａに受け止められて停止している。そして、パチンコ球が当たって上方向へ飛んだとき、その反動として跳上部材３１が反対側へ回動し、他方の突片３９ｂが受止片４０ｂに当接して一端停止され、再び元の状態に戻る。これは、仮に跳上部材３１を完全に固定してしまうと、常にパチンコ球の衝撃荷重が反発片３３の一定の部位に掛かり、その部位が早く疲労して折損するなど寿命を縮めるのに対し、前記跳上部材３１をボス３６に対して遊嵌させることにより、前記衝撃荷重が分散され寿命が伸びるからである。跳上部材３１は、球流下通路２９終端の出口３０に配置するようにしたが、出口３０が球流下通路２９の途中にあればその部位に配置されることになり、また、出口３０よりも下方に配置するようにしても良い。なお、図示は省略するが、前記跳上部材３１の前面に、例えば動物のキャラクターの図を描いた装飾板を取付け、しかも、装飾板を跳上部材３１にスプリングなどの弾性部材により取り付けるようにすれば、パチンコ球が跳上部材３１に当たってジャンプする毎に跳上部材３１がその反動で回動することから、これに伴い前記装飾板が上下または左右に揺れることとなり、面白味が増す。
【００２４】
前記表示部本体２４の下側であって第二起立壁２２ｂの前面には、その上部中央に横長の球流入口４１が開設される。この球流入口４１はパチンコ球が入る中央の中球流入口４１ａと両側の二個の外球流入口４１ｂとの三個に分割されている。また、その下方であって同じく第二起立壁２２ｂの前面には、中央部に中央球出口４２ａが開設され、その両側に少し離れて側方球出口４２ｂがそれぞれ開設されている。そして、第二起立壁２２ｂの前面に前記球流入口４１の周囲を囲うようにして球受入皿４３が設けられる。この球受入皿４３は、前記跳上部材３１により飛んでジャンプしたパチンコ球を偶然性にまかせて受け入れることができるようにしたものであり、受け入れられたパチンコ球は前記三個の中・外球流入口４１ａ，４１ｂのいずれかに入ることになる。球受入皿４３の内底面は、前記三個の中・外球流入口４１ａ，４１ｂ側へ若干下傾している。また、前記内底面に前後方向に沿って複数の突条を設けて波状面に成形してもよく、球受入皿４３内を区画壁により前記三個の中・外球流入口４１ａ，４１ｂに対応させて三分割するようにしても良い。この場合、前記球受入皿４３は、前記出口３０よりも上方位置に配置されていることが好ましく、このようにすれば遊技の興趣が高められる。
【００２５】
前記中球流入口４１ａは、図５に示すように後側の球流入路４４を介して前記中央球出口４２ａと連通している。そして、中球流入口４１ａに入ったパチンコ球は、球流入路４４を流下して前記中央球出口４２ａから第二棚部２５ｂ及び第一棚部２５ａを転動して下方へ落下する。その間に、前記パチンコ球は球流入路４４に設けられた球検出器４５により検出される。この球検出器４５により検出されると、前記表示部本体２４の表示部１８に表示される数字等の識別情報をランダムに変動させることになる。なお、この際、識別情報があらかじめ決められた特定の組合わせ（例えば、「７，７，７」）に揃う確率が、始動入賞口１２に入賞した場合よりも高確率になるように設定してある。また、両外球流入口４１ｂは、図６に示すようにそれぞれ後側の球流入路４６を介して前記各側方球出口４２ｂと連通している。そして、いずれか外球流入口４１ｂに入ったパチンコ球は、球流入路４６を流下して前記いずれかの側方球出口４２ｂから第二棚部２５ｂ及び第一棚部２５ａを転動し、中央へ寄せられて下方へ落下する。
【００２６】
前記始動入賞口１２は、可変表示装置１１の下方であって遊技盤９面に取付けられるが、中央球出口４２ａと上下方向でほぼ同一位置にある。よって、球受入皿４３に受け入れられなかったパチンコ球、または側方球出口４２ｂから排出されたパチンコ球よりも中央球出口４２ａから排出され真直ぐに落下するパチンコ球の方が、前記始動入賞口１２へ入賞する機会が多くなる。
【００２７】
本実施の形態では、前記球検出器４５を球流入路４４内に配置するようにしたが、中球流入口４１ａ又は中央球出口４２ａ更には球受入皿４３内に配置するようにしても良い。これにより、遊技の進行状況をある程度変化させられる。また、この球検出器４５でパチンコ球が検出されたとき、前記表示部１８に表示される識別情報を二回又は三回ランダムに変動させるようにし、その表示を前記表示部１８に表示するようにしても良い。
【００２８】
本発明に係る可変表示装置１１は上記構成からなり、次に、その作用を説明する。図７に示すように遊技盤９面に打ち込まれ球入口２８に入ったパチンコ球Ｂは、球流下通路２９内を流下し、その終端に配置される跳上部材３１の反発片３３上面に当たり内側の斜め上方へ跳ね返されてジャンプする。そして、運悪く球受入皿４３に受け入れられなかったパチンコ球Ｂ１は、そのまま第二棚部２５ｂ上面に落下して転動し、中央へ寄せられて第一棚部２５ａの下端縁の切欠部２６から下方へ落下する。落下したパチンコ球Ｂ１はその下方の始動入賞口１２側へ向かう。
【００２９】
一方、運良く球受入皿４３に受け入れられたパチンコ球Ｂ２は、中央か両側の中・外球流入口４１ａ，４１ｂのいずれかに入る。中央球流入口４１ａに入ったパチンコ球Ｂ３は、球流入路４４を流下し球検出器４５で検出された後、中央球出口４２ａから排出され、第二棚部２５ｂ及び第一棚部２５ａの中央部を転動して第一棚部２５ａの下端縁に設けられた切欠部２６の中央部から下方へ落下する。この場合、その真下に始動入賞口１２が配置されることから、その始動入賞口１２へ入賞する機会が多くなる。また、いずれかの外球流入口４１ｂに入ったパチンコ球Ｂ４は、球流入路４６を流下し、いずれかの側方球出口４２ｂから排出され、第二棚部２５ｂ及び第一棚部２５ａを転動して中央へ寄せられ、第一棚部２５ａの下端縁の切欠部２６から下方へ落下する。落下したパチンコ球Ｂ４はその下方の始動入賞口１２側へ向かう。
【００３０】
そして、パチンコ球Ｂが、運良く始動入賞口１２へ入賞すると、入賞球検出器１７により検出され、前記表示部１８に表示される数字等の識別情報をランダムに変動させることになる。なお、この際、識別情報があらかじめ決められた特定の組合わせ（例えば、「７，７，７」）に揃う確率は通常の確率である。
【００３１】
このように、球流下通路２９に入ったパチンコ球Ｂは、その球流下通路２９内を流下し、その終端に配置された跳上部材３１に当たって跳ね返される。そして、前記パチンコ球Ｂが前記流下方向とは異なる上方向へ飛んでジャンプし、しかも、偶然性により球受入皿４３に受け入れられたり、受け入れられなかったりする変化に富んだ斬新な動作をする。このパチンコ球の軌道を前側から視認することにより、遊技者を引き付けるような面白味が味わえて、遊技が盛り上がることになる。前記球流下通路２９を構成する第一起立壁２２ａは、通常、不透明な部材により成形されるが、この部分を透明な部材で成形するようにすれば、パチンコ球が、流下して跳ね返ってジャンプし、さらに、球受入皿４３に受け入れられるまでの軌道を遊技者が総て見られることとなり、さらなる面白味が出せる。
【００３２】
図８は、球流下通路の他の実施の形態を示すもので、二条の球流下通路４７ａ，４７ｂからなり、これらは、途中で鉛直な球流下通路４７ｃに合流し、その終端に出口３０が開設されている。このように、上下に二条の球流下通路４７ａ，４７ｂを設けることにより、それぞれの球入口４８ａ，４８ｂから入ったパチンコ球は流下する速度が異なり、跳上部材３１により上方向へ飛んでジャンプする飛距離が変化することになる。よって、異なる球入口４８ａ，４８ｂを設けることにより、飛距離を変えることができる。これにより、遊技内容に変化が与えられるなど幅がもたせられ、引いては遊技の興趣が高められる。
【００３３】
この場合、前記両球入口４８ａ，４８ｂ間に邪魔板４９を配置し、この邪魔板４９を摺動させていずれか一方の球入口４８ａ又は球入口４８ｂを塞ぐことができるようにしても良い。換言すると、常に、両球入口４８ａ，４８ｂに同時にパチンコ球が入り得ないようにする。これは、例えば同時にパチンコ球が球流下通路４７ａ，４７ｂ内に入ると、パチンコ球同士が干渉しあって、うまくジャンプ動作し得ない危険性が有るからである。このため、球流下通路４７ａ，４７ｂの裏側にソレノイド５０を配置し、そのプランジャ５１先端に前記邪魔板４９を取着する。ソレノイド５０が消磁しているときは、一方の球入口４８ａを塞ぎ他方の球入口４８ｂを開放している。また、ソレノイド５０が励磁しているときは、一方の球入口４８ａを開放し他方の球入口４８ｂを閉塞している。これにより、遊技内容に変化が与えられるなど幅がもたせられ、引いては遊技の興趣が高められる。
【００３４】
図９も、球流下通路の他の実施の形態を示すもので、二条の球流下通路４７ａ，４７ｄからなり、上の球流下通路４７ａは前記のように途中で鉛直な球流下通路４７ｃに合流する。これに対し、下の球流下通路４７ｄは鉛直な球流下通路４７ｃの終端で合流している。そして、その終端の下方に出口３０が開設されている。合流部は広く形成され、たとえ複数のパチンコ球が同時に入っても球がみを起こさないようになっている。このようにしても、それぞれの球入口４８ａ，４８ｄから入ったパチンコ球は流下する速度が異なり、跳上部材３１により上方向へ飛びジャンプする飛距離が変化することになる。よって、異なる球入口４８ａ，４８ｄを設けることにより、飛距離を変えることができ、これにより、遊技内容に変化が与えられるなど幅がもたせられ、引いては遊技の興趣が高められる。
【００３５】
この場合、前記上の球入口４８ａに開閉蓋５２を軸着するようにし、この開閉蓋５２を図９実線に示すように前記球入口４８ａを塞ぐ位置と同図鎖線に示すように開放した位置、更には同図鎖線に示すようにその中間であって球入口４８ａを開放しかつその中にパチンコ球が入り易いように案内する傾斜した位置へと回動して停止できるようにしても良い。このため、球入口４８ａの下側で開閉蓋５２を支軸５２ａにより軸着し、この軸を球流下通路４７ａの裏側に配置され、ステップ角が調整されたステッピングモータ５３の軸と連動させる。なお、下の球入口４８ｄに前記開閉蓋５２を配置したり、両球入口４８ａ，４８ｄに共に開閉蓋５２を配置するようにしても良い。これにより、遊技内容に変化が与えられるなど幅がもたせられ、引いては遊技の興趣が高められる。
【００３６】
図１０も、球流下通路の他の実施の形態を示すもので、一条の球流下通路４７ｅが、水平面に対する傾斜角度を調節できるように設けられている。この球流下通路４７ｅは、水平面に対し全体に傾斜しており、その終端の出口３０に球流下通路４７ｅの下側の側壁と連なり、かつその反発片３３ａの上面を凹弧状に湾曲させた跳上部材３１ａが配置されている。この場合、球入口４８ｅから入ったパチンコ球は、流下して前記反発片３３ａの上面に沿って跳ね上げられてジャンプする。
【００３７】
そこで、前記球流下通路４７ｅの傾斜角度を調節させるため、球流下通路４７ｅの上方にソレノイド５４が設けられ、このソレノイド５４と前記球流下通路４７ｅとの間に、中央部を軸５５により回動自在に枢支されたＬ字状のクランク５６が配置されている。このクランク５６の一端には長孔５７が開設され、該長孔５７に球流下通路４７ｅの外側面から突設される支持ピン５８が遊嵌されている。また、クランク５６の他端は前記ソレノイド５４から下方へ突出するプランジャ５９の先端に枢着される。一方、球流下通路４７ｅ終端の外側面に軸孔６０が開設された支持片６１が突設され、軸孔６０に跳上部材３１ａの近傍であって第二起立壁２２ｂから突設される軸ピン６２が挿通されている。
【００３８】
これにより、前記ソレノイド５４が消磁しているときは、球流下通路４７ｅが水平面に対し一定の傾斜角度を保って支持される。また、ソレノイド５４が励磁すると、プランジャ５９が吸引されてクランク５６が回動する。これに伴い、球流下通路４７ｅが終端の軸ピン６２を支点として図１０で時計回り方向へ回動し、水平面に対し前記傾斜角度よりも大きく傾く。このように、球流下通路４７ｅが傾斜角度を調節できるようにすることにより、球入口４８ｅから入ったパチンコ球は流下する速度が異なり、跳上部材３１により上方向へ飛びジャンプする飛距離が変化することになる。これにより、遊技内容に変化が与えられるなど幅がもたせられ、引いては遊技の興趣が高められる。球流下通路４７ｅが複数条の場合も、同様にして傾斜角度を調節することは可能である。
【００３９】
図１１は、本実施の形態に係る跳上部材３１であって、その弾発力を調節できるようにしたものである。すなわち、一方の突片３９ａが同側にある受止片４０ａに受け止められて跳上部材３１が停止している状態で、第二起立壁２２ｂに反発片３３の下側であってその反発片３３に沿って平行をなす長溝６３が開設される。また、第二起立壁２２ｂの後側に、両端面からプランジャ６４が突出するソレノイド６５が配置されている。そして、プランジャ６４の一端に、支持部材６６を介して前記長溝６３から前方へ突出する支持ピン６７が設けられている。この支持ピン６７は、前記反発片３３の裏側に接しており、プランジャ６４の動作に伴って図１２に示すように反発片３３に接触したまま長溝６３に沿って移動するようになっている。よって、このときは、反発片３３の先端側の突片３９ａと受止片４０ａは当接しない。
【００４０】
そこで、ソレノイド６５が消磁しているときは、図１２実線に示すように支持ピン６７が中央に位置している。この状態でソレノイド６５が励磁すると、図１２鎖線に示すようにプランジャ６４が吸引され支持ピン６７が反発片３３の先端側へ移動して停止する。また、前記消磁状態から電流を逆に流してソレノイド６５を励磁すると、プランジャ６４が突出され、図１２鎖線に示すように支持ピン６７が反発片３３の基端側へ移動して停止する。このように、反発片３３を支持する位置を調節することにより、反発片３３の弾発力を変えることができる。これにより、上方向へ飛ぶパチンコ球のジャンプ力が変化し、遊技内容に変化が与えられるなど幅がもたせられ、引いては遊技の興趣が高められる。なお、この場合も、前記支持ピン６７の長さを反発片３３の前側まで伸ばし、その先端に例えば動物のキャラクターの図を描いた装飾板を取付け、しかも、装飾板を支持ピン６７にスプリングなどの弾性部材により取り付けるようにすれば、移動するとき装飾板が左右に揺れ、面白味が増す。
【００４１】
図１３は、跳上部材の他の実施の形態に係るもので、跳上部材３１ｂを鉛直面内で回動して、パチンコ球を所望の上方向へ飛ばすことができるように、反発片３３の水平面に対する傾斜角度を調節するようにしたものである。このため、軸筒部３２の後端面に複数の溝６８が放射状に設けられ、ボス３６の基端部外周面に前記複数の溝６８に緩く嵌入する複数の嵌入片６９が同じく放射状に突設されている。そこで、各溝６８と各嵌入片６９とを適宜位置で互いに噛み合わせることにより、反発片３３の水平面に対する傾斜角度が変えられる。これにより、パチンコ球の飛ぶ方向が自在に変わり、遊技内容に変化が与えられるなど幅がもたせられ、引いては遊技の興趣が高められる。図１４は、電気的駆動手段、例えばステップ角を調整したステッピングモータ５３ａにより、跳上部材３１ｃを鉛直面内で所定角度づつ回転できるようにしている。このため、第二起立壁２２ｂの裏側に配置されたステッピングモータ５３ａの駆動軸７９が、第二起立壁２２ｂの前面に水平に突出されると共にその先端に軸筒部３２が嵌着されている。このようにすれば、跳上部材３１ｃの傾斜角度の変更が簡単に行え、しかも、遊技内容に組み入れられて変化が与えられるなど幅がもたせられる。
【００４２】
跳上部材３１，３１ａ，３１ｂ，３１ｃは、球流下通路２９とは別体であって独立して成形される場合を説明したが、例えば、図１５に示すように球流下通路と一体に成形するようにしても良い。図１５（イ）は、終端側が鉛直をなす球流下通路２９の終端に、屈曲部７０を介して跳上部材３１ｄが一体に成形されている。また、図１５（ロ）は、水平面に対して傾斜する球流下通路２９ａの終端に連なって、上面が窪む円弧状の跳上部材３１ｅが一体に成形されている。このようにすれば、跳上部材３１ｄ，３１ｅの取付作業が省かれ、その分作業の簡素化が図られる。
【００４３】
図１６、図１７は、球受入皿の他の実施の形態に係るものである。この球受入皿４３ａは、前記跳上部材３１，３１ａ乃至３１ｅにより上方向へ飛ばされるパチンコ球を受入れることができる範囲で、自在に往復動する。すなわち、水平面内で左右に往復運動するように設けられている。球受入皿４３ａは、上面と後面が開放され、前後方向に沿って張設される区画壁７１により内部が三個の中球流入口４１ａ、外球流入口４１ｂに対応する３個の中央室Ｒ１と左・右側室Ｒ２に分割されている。また、底壁７２は、後方へ延設され第二起立壁２２ｂに開設された水平な横長開口７３から後方へ突出している。そして、その後端部に第二起立壁２２ｂの裏面に沿って下方へ折れ曲り、左右に摺動し得る皿支持板７４が一体に設けられる。７５は、第二起立壁２２ｂの裏面に皿支持板７４を自在に摺動するように保持するため、その両側に設けられる断面Ｌ字状のガイド片である。
【００４４】
また、前記第二起立壁２２ｂの後側には、両端面からプランジャ７７が突出するソレノイド７６が水平に配置され、プランジャ７７の一端に、前記皿支持板７４の一側裏面に一体に突設される連結片７８が取着される。そして、図１７に示すように、ソレノイド７６が消磁しているときは、球受入皿４３ａがほぼ中央に位置し、各中央室Ｒ１及び左・右側室Ｒ２が中球流入口４１ａ及び両外球流入口４１ｂにそれぞれ合致して対応位置している。よって、中央室Ｒ１に受入れられたパチンコ球は中球流入口４１ａに入り、左・右側室Ｒ２に受入れられたパチンコ球は両外球流入口４１ｂに入る。
【００４５】
この状態で、ソレノイド７６が励磁すると、プランジャ７７が吸引されて球受入皿４３ａが図１７鎖線に示すように左側へ水平移動し、各中央室Ｒ１、左・右側室Ｒ２と中球流入口４１ａ、両外球流入口４１ｂとが一個づつずれる。中央室Ｒ１が一方の外球流入口４１ｂに対応位置し、右側室Ｒ２が中球流入口４１ａに対応位置することになる。よって、跳上部材３１，３１ａ乃至３１ｅにより飛んでジャンプしたパチンコ球が中央室Ｒ１に入ったとしても、一方の外球流入口４１ｂに導かれることになる。また、パチンコ球が右側室Ｒ２に入れば、中球流入口４１ａに導かれることになる。同様にソレノイド７６が消磁している状態で、電流を逆に流すことによりプランジャ７７が突出して球受入皿４３ａが図１７鎖線に示すように右側へ水平移動し、各中央室Ｒ１、左・右側室Ｒ２と中球流入口４１ａ、両外球流入口４１ｂとが一個づつずれる。これにより、遊技内容に変化が与えられるなど幅がもたせられ、引いては遊技の興趣が高められる。なお、図示は省略するが、前記球受入皿４３ａを左右へ円弧線に沿って往復動させたり、上下に往復動させるようにしても良い。
【００４６】
前記各実施の形態で説明した球受入皿４３，４３ａは、前記入賞装置１３として使用できるものである。すなわち、独立して成形され、ステッピングモータ５３ａにより鉛直面内で回動しかつ水平面に対する傾斜角度を調節できるように設けられた跳上部材３１ｃを使用し、また、球流入口４１内に一般入賞口と特別入賞口とを設ける。例えば、常には跳上部材３１ｃにより上方向へ飛びジャンプするパチンコ球は、球受入皿４３，４３ａに受け入れられないようにしておく。そして、表示部１８に表示される識別情報が特定の組合せ「７７７」に揃って遊技者に有利となる特別遊技状態になったとき、ステッピングモータ５３ａにより前記跳上部材３１ｃの傾斜角度を変え、一定の条件の下でジャンプするパチンコ球をすべて球受入皿４３，４３ａに受け入れられるようにする。
【００４７】
また、前記球受入皿４３，４３ａは、前記始動入賞口１２としても使用できるものである。この場合は、例えば通過チャッカー１４をパチンコ球が通過したとき、跳上部材３１ｃがステッピングモータ５３ａにより回動して傾斜角度を調節し、その状態を一定時間の間のみ保持できるようにして、その間に跳上部材３１ｃにより上方向へ飛びジャンプするパチンコ球を球受入皿４３，４３ａにすべて受け入れられるようにする。
【００４８】
本実施の形態にあっては、盤面装置として可変表示装置１１について説明したが、図示は省略するものの、例えば、入賞口の場合は、これを単独で透明なケースにより製作し、その上部に球入口を設け、ケース内には前記球入口と連通する球流下通路、前記球流下通路の終端に跳上部材、また前記跳上部材により跳ね返ったパチンコ球を受け入れることができる球受入皿をそれぞれ備えるようにしても良い。そして、球受入皿にパチンコ球が受け入れられれば、そのパチンコ球を遊技盤の裏側へ排出させると共に球検出器により検出して所定数の景品球を払い出すようにすることもできる。この場合も、前記跳上部材は、跳ね返るパチンコ球が必要量ジャンプするようになっていれば必要はないが、できればバネ作用を有するように成形されていることが好ましい。例えば、合成樹脂製であって弾発性を有する板状のもの、またはバネ部材を使用したものが挙げられる。
【００４９】
このように、本願発明は、各実施の形態において、球流下通路を複数条成形し、球流下通路を水平面に対する傾斜角度が調節できるようにし、球流下通路の球入口に邪魔板または開閉蓋を配置し、跳上部材を独立して成形し鉛直面内で回動しかつパチンコ球を所望の上方向へ飛ばす位置で停止できるように設け、跳上部材の傾斜角度を調節できるようにし、跳上部材を球流下通路と一体に成形し、球受入皿を自在に往復動するように設け、球受入皿を跳上部材よりも上方位置に配置する、といった構成について説明したが、これら構成はどのような組合わせからなっていても良い。
【００５０】
【発明の効果】
以上説明したように、本発明によれば、球流下通路に入ったパチンコ球は、その球流下通路内を流下し、跳上部材により前記流下方向とは異なる上方向であって空中へジャンプして、偶然性により球受入皿に受け入れられたり、受け入れられなかったりする。このように、パチンコ球が空中へジャンプして球受入皿に受け入れられるという軌道を変化に富んだ斬新な動作として前側から視認できるようにしたので、遊技者を引き付けるような面白味があって遊技者が満足でき、遊技の興趣を十分に高められる。引いては、遊技者へのサービスの一環につながるという効果を有する。
【００５１】
また、前記球流下通路が複数条成形されると共に下流側で合流するようにし、前記球流下通路が水平面に対する傾斜角度を調節できるように設け、前記跳上部材が独立して成形され鉛直面内で回動しかつ前記流下するパチンコ球を所望の上方向へ飛ばす位置で停止できるように設け、前記球受入皿が前記上方向へ飛ばされるパチンコ球を受入れることができる範囲で自在に往復動するように設け、前記球受入皿が前記跳上部材よりも上方位置に配置されているという構成を採ることにより、遊技内容に変化が与えられるなど幅がもたせられ、引いては遊技の興趣が高められる。
【図面の簡単な説明】
【図１】本発明が適用されるパチンコ遊技機の正面図。
【図２】遊技盤面に取付けられた可変表示装置の正面図。
【図３】同正面断面図。
【図４】跳上部材部分の分解斜視図。
【図５】図２のＸ−Ｘ線断面図。
【図６】図２のＹ−Ｙ線断面図。
【図７】可変表示装置の前面下部の斜視図。
【図８】他の実施の形態に係る球流下通路を備え遊技盤面に取付けられた可変表示装置の正面断面図。
【図９】他の実施の形態に係る球流下通路を備え遊技盤面に取付けられた可変表示装置の正面断面図。
【図１０】他の実施の形態に係る球流下通路を備え遊技盤面に取付けられた可変表示装置の正面断面図。
【図１１】他の実施の形態に係る跳上部材部分の分解斜視図。
【図１２】同正面図。
【図１３】他の実施の形態に係る跳上部材部分の分解斜視図。
【図１４】他の実施の形態に係る跳上部材部分の斜視図。
【図１５】他の実施の形態に係り、跳上部材が一体に成形された球流下通路の正面断面図。他の実施の形態に係り、跳上部材が一体に成形された球流下通路の正面断面図。
【図１６】他の実施の形態に係る球受入皿を備え遊技盤面に取付けられた可変表示装置の正面図。
【図１７】図１６のＺ−Ｚ線断面図。
【符号の説明】
９　　　　　　　　　　　　　遊技盤
１１　　　　　　　　　　　　盤面装置（可変表示装置）
２９　　　　　　　　　　　　球流下通路
３０　　　　　　　　　　　　出口
３１，３１ａ〜３１ｅ　　　　跳上部材
４３　　　　　　　　　　　　球受入皿
４７ａ〜４７ｅ　　　　　　　球流下通路
５３ａ　　　　　　　　　　　電気的駆動手段（ステッピングモータ）
Ｂ，Ｂ１〜Ｂ４　　　　　　　パチンコ球
【図１】
2004057229.tif 000003
【図２】
2004057229.tif 000004
【図３】
2004057229.tif 000005
【図４】
2004057229.tif 000006
【図５】
2004057229.tif 000007
【図６】
2004057229.tif 000008
【図７】
2004057229.tif 000009
【図８】
2004057229.tif 000010
【図９】
2004057229.tif 000011
【図１０】
2004057229.tif 000012
【図１１】
2004057229.tif 000013
【図１２】
2004057229.tif 000014
【図１３】
2004057229.tif 000015
【図１４】
2004057229.tif 000016
【図１５】
2004057229.tif 000017
【図１６】
2004057229.tif 000018
【図１７】
2004057229.tif 000019